(57)【要約】【目的】本発明は建築、構築物の外壁材として使用する横張り用建築用パネルの、端部をカバーするのに使用する通気機能を付加した通気止縁に関するものである。【構成】外装を形成する建築用パネルＤの端部をカバーする２部材からなる止縁において、敷目板Ｂの固定片１に連通空間８を形成した通気部材６を形成した通気止縁Ａである。【選択図】　　　　図１
2004044240.tif 000002
【特許請求の範囲】
【請求項１】
外装を形成する建築用パネルの端部をカバーする２部材からなる止縁において、敷目板の固定片に連通空間を形成した通気部材を形成したことを特徴とする通気止縁。
【発明の詳細な説明】
【０００１】
【発明の属する技術分野】
本発明は建築、構築物の外壁材として使用する横張り用建築用パネルの、端部をカバーするのに使用する通気機能を付加した２部材の通気止縁に関するものである。
【０００２】
【従来の技術】
一般に、屋内の湿気等を外部に放出するには、図６〜図８に示すように、建築用パネルＡの裏面に空間を形成し、点線矢印で示すように、この空間を通気路γとして軒天（有孔板）、換気棟、建築用パネルＡの最上段に形成した通気用止縁、等から屋内の湿気等を排出していた。
【０００３】
【発明が解決しようとする課題】
しかしながら、建築用パネルＡが横張りの場合には、躯体αと建築用パネルＡ間に縦胴縁を形成し、通気路γを形成する必要があった。また、軒天部分や土台部分の空間から虫が浸入し、巣を作ることがあった。
【０００４】
【課題を解決するための手段】
本発明はこのような欠点を除去するために、外装を形成する建築用パネルの端部をカバーする２部材からなる止縁において、敷目板の固定片に連通空間を形成した通気部材を形成した通気止縁を提案するものである。
【０００５】
【発明の実施の形態】
以下に図面を用いて、本発明に係る通気止縁の一実施例について詳細に説明する。すなわち、通気止縁Ａは図１（ａ）〜（ｃ）に示すように、敷目板Ｂと、化粧部材Ｃの２部材より形成された長尺状部材である。
【０００６】
敷目板Ｂは垂直平面状の固定片１と、固定片１の上端を外側方に突出した下片２と上片３と、下上片２と上片３より形成された嵌合溝４と、嵌合溝４内に突出した嵌合片５とから形成した基材ａと、固定片１裏面に形成した通気部材６とから形成した長尺状部材である。
【０００７】
化粧部材Ｃは垂直平面状の化粧面９と、化粧面９の下端を傾斜して屈曲した傾斜化粧面１０と、化粧面９の上端を外側方に突出した係合片１１と係合片１１の先端部分に形成した係合爪１２とから形成した長尺状部材である。
【０００８】
また、Ｄは建築用パネルである。なお、図２は施工状態を示す断面図であり、αは躯体、βは固定具、γは通気路である。
【０００９】
基材ａとしては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、等からなるものである。
【００１０】
通気部材６は通気路γ形成材、嵩上げ材、胴縁、等として機能するものであり、図３（ａ）〜（ｄ）に示しように、図では四角形の格子７を形成し、格子７により複数個の連通空間８を形成したものである。
【００１１】
その素材としては、プラスチック成形材（例えばポリプロピレン等）、金属材（例えばアルミニウム等）、紙（高強度）、木材、等よりなるものである。勿論、連通空間８を形成できるもので有れば、材質（基材の他に、強度強化、耐候性向上、耐火性向上、劣化防止、等の性能向上を図るために積層、あるいは混入する材料も含める）は任意に選択できるものである。
【００１２】
通気部材６の有効開口面積（換気能力）は、４０ｃｍ２　／ｍ〜１２００ｃｍ２　／ｍ位である。また、通気部材６の暑さｔは５ｍｍ〜１５０ｍｍ位である。
【００１３】
また、格子７、連通空間８の形状、大きさ、層の数は、通気路γの大きさ、通気性能、材質、等のより決定されるものである。
【００１４】
通気部材６の成形は、何層かを一気に押し出して成形したり、一層を押し出して成形し、その後何層かの層状に重ねて接着して成形したりするものである。
【００１５】
通気部材６の通気止縁Ａへの形成は、固定片１の裏面に接着剤等を介して貼着するものである。勿論、材質により貼着方法は異なるので、形成方法は任意である。また、図４に示す建築用パネルＤへの通気部材６の形成も同様である。
【００１６】
建築用パネルＤは図４に示すように、表面材９と裏面材１０で例えば合成樹脂発泡体からなる芯材１１を、サンドイッチした建築用パネルＤである。
【００１７】
建築用パネルＤの全体形状の一例としては図４に示すように、長尺で金属製の薄板からなる表面材１３と裏面材１４間に芯材１５をサンドイッチし、幅方向の一端に形成した雄型連結部１６、他端に形成した雌型連結部１７とから形成したものである。また、建築用パネルＤの裏面には通気部材６を形成したものである。勿論、建築用パネルＤとしては、窯業系サイディング、金属系パネル、セラミック材、ＡＬＣパネル、等よりなるものでも良いものである。
【００１８】
表面材１３と裏面材１４は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材１０としてアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１９】
芯材１５は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。勿論、芯材３としてロックウール、グラスウール、セラミックウール等の無機材を使用しても良いものである。
【００２０】
敷目板Ｂと化粧部材Ｃとの嵌合は、図１（ａ）に示すように敷目板Ｂの嵌合溝４内に化粧部材Ｃの係合片１１を挿入し、嵌合片５に係合爪１２を連結して一体化するものである。
【００２１】
以上説明したのは本発明に係る通気止縁の一実施例にすぎず、図５（ａ）〜（ｒ）に示すように形成することもできる。
【００２２】
図５（ａ）〜（ｒ）は通気部材６に形成した連通空間８のその他の実施例を示す説明図である。
【００２３】
【発明の効果】
以上説明したように本発明に係る通気止縁によれば、胴縁の形成無しで、通気路を形成できるために、▲１▼材料コストの削減が図れる。▲２▼施工期間の低減が図れる。また、▲３▼通気部材を形成した通気止縁を躯体に施工するだけで、土台から軒まで連通した通気路の下端部の入口を形成できる。等の特徴、効果がある。
【図面の簡単な説明】
【図１】本発明に係る通気止縁の代表例を示す断面図である。
【図２】本発明に係る通気止縁の施工状態を示す断面図である。
【図３】本発明に係る通気止縁に使用する通気部材を示す説明図である。
【図４】建築用パネルの一実施例を示す説明図である。
【図５】本発明に係る通気止縁のその他の例を示す説明図である。
【図６】一般的な通気構造を示す断面図である。
【図７】一般的な通気構造を示す断面図である。
【図８】一般的な通気構造を示す断面図である。
【符号の説明】
α　躯体
β　固定具
γ　通気路
Ａ　通気止縁
ａ　基材
Ｂ　敷目板
Ｃ　化粧部材
Ｄ　建築用パネル
１　固定片
２　下片
３　上片
４　嵌合溝
５　嵌合片
６　通気部材
７　格子
８　連通空間
９　化粧面
１０　傾斜化粧面
１１　係合片
１２　係合爪
１３　表面材
１４　裏面材
１５　芯材
１６　雄型連結部
１７　雌型連結部
【図１】
2004044240.tif 000003
【図２】
2004044240.tif 000004
【図３】
2004044240.tif 000005
【図４】
2004044240.tif 000006
【図５】
2004044240.tif 000007
【図６】
2004044240.tif 000008
【図７】
2004044240.tif 000009
【図８】
2004044240.tif 000010